(57)【要約】    【課題】  如何なる状況下においても緊急時に開くことができ、しかも救護を必要とする人を安全に助けることのできる建具を提供する。    【解決手段】直立した略板状をなし、開口部を塞ぐ閉止位置と、開口部を開くことにより人などが出入り可能とする開口位置との間を移動可能に装着される建具であって、非常時に人などが出入可能な二次開口部を有する建具本体と、該建具本体の二次開口部を開閉する副扉とを具え、前記副扉は、広がった状態で二次開口部を塞ぎ、かつ折り畳んだ状態で二次開口部を開ける折れ戸からなることを特徴とする。【選択図】  図１
2005133496.tif 000002
【特許請求の範囲】
【請求項１】
直立した略板状をなし、開口部を塞ぐ閉止位置と、開口部を開くことにより人などが出入り可能とする開口位置との間を移動可能に装着される建具であって、
非常時に人などが出入可能な二次開口部を有する建具本体と、該建具本体の二次開口部を開閉する副扉とを具えたことを特徴とする建具。 
【請求項２】
前記副扉は、広がった状態で二次開口部を塞ぎ、かつ折り畳んだ状態で二次開口部を開ける折れ戸からなることを特徴とする請求項１記載の建具。
【請求項３】
前記副扉は、ピボットの廻りを回転することにより、前記二次開口部を開閉する回転扉からなることを特徴とする請求項１記載の建具。
【請求項４】
前記副扉は、二次開口部に嵌合され、かつ容易に引き裂き可能な連結体を介して建具本体に連結された鏡板からなり、
前記鏡板は、連結体を引き裂くことにより二次開口部から分離可能であることを特徴とする請求項１記載の建具。 
【請求項５】
前記連結体は、建具本体と副扉とに跨り添着され、かつ該建具本体と副扉の境界線上で引き裂き可能なテープからなることを特徴とする請求項４記載の建具。
【請求項６】
前記副扉は、二次開口部内に上下にスライド可能に嵌合されるとともに上部が保持部により支持された可動鏡板と、該可動鏡板の下部に配された基台とからなり、
前記可動鏡板は、前記基台が二次開口部から取り外されると下方にスライドし、これによりその上部が前記保持部から外れて、取り外し可能となることを特徴とする請求項１記載の建具。
【発明の詳細な説明】
【技術分野】
【０００１】
本発明は、トイレ、浴室、或いは高齢者用居室などに設けられるドア、引戸その他の建具に関する。
【背景技術】
【０００２】
トイレ、浴室に取付けられるドアなどの建具は、出入り口となる開口部に開閉可能に設けられるとともに、その閉止位置で通常内部から施開錠を行ないうるロック装置が設けられている。また近年、高齢者用居室、子供部屋、或いは寝室などプライベートな部屋においても、プライバシーを守るために、その出入り口に用いられる建具に、ロック装置を取付ける場合が増加している。
【０００３】
しかし、トイレ、浴室、高齢者居室の内部で使用者が体調が急変するなどした場合、外から緊急に入室して救護する必要があるが、施錠されていると内部の様子が解らない上、入室する迄に相当の時間を要するために緊急の対応が手遅れになる可能性がある。更には止むを得ず建具を壊して入室する場合、特に内開きのドアにあっては、内部で救護を待つ人に破片が飛び散って、怪我をさせることがあり、しかも破壊した建具の復旧には、相当の時間とコストが掛かる上、復旧するまでの間トイレ、浴室が使用出来ないため、生活に支障を生じる。或いは、地震、火災などの災害時に個室が内側から施錠されていると、緊急の対応が遅れることにより、被害が拡大する可能性もある。
【０００４】
そこで、内側から施開錠するロック装置において、緊急時に対応するため、例外的に外側から開錠しうる各種の機構を設けることが提案されている（例えば、特許文献１参照。）。図１９に示す非常開錠装置は、室外側に設けたスリ割り部ａにドライバーやコイン等を差し込んで回動することにより該スリ割り部ａと同軸の回動シャフトｂを回動してラッチボルトやデッドボルト等の施錠部材（図示せず）を解錠可能とする錠の非常解錠装置において、前記スリ割り部ａとは別に、非常解錠用の回動部材ｃを前記回動シャフトｂに回動自在に取り付けるとともに、該回動部材ｃの一部に指掛部ｄを解錠操作可能に設けてなるものである。これにより、ドライバーやコイン等を持ち合わせの折には、前記スリ割り部ａに差し込んで回動することにより解錠でき、緊急時で、ドライバーやコイン等がないときは、指掛部ｄに指を掛けて回動部材ｃを回動すると、同時に回動シャフトｂが回動され、たとえば施錠部材の後退路が開放され、室外側からドア錠を解錠できる。
【０００５】
【特許文献１】特開平１０−８２２２６号公報
【発明の開示】
【発明が解決しようとする課題】
【０００６】
しかしながら、この種非常解錠装置は、回転部、スライド部など多くの部品を相互に連動可能に組合わせて構成するため、動作が精密である反面、機構が複雑となり、特に地震などで衝撃を受けると作動不良となる可能性があり、この場合には、内外何れからの操作を行なっても解錠することができない。そして、解錠装置の機能は正常な時でも、地震などの衝撃を受けて、開口枠、建具の何れ一方の形状が変化して所謂建付けが狂ったり、或いは一部に破損が生じると、閉止状態の建具がその状態で固定されてしまい、ロック装置が解錠しても建具が開かない場合が発生する。
【０００７】
また、トイレ、浴室などの狭い空間で、しかも例えばドアが内開きに装備される場合などには、内部で体調不調により救護を必要とする人が建具の前で座り込むなど、建具に寄り掛かっていると、建具を開くことができず、無理にこれを開けようとすると、人体を傷つける可能性がある。
【０００８】
本発明は、前記した建具が有する問題点を解消し、如何なる状況下においても緊急時に開くことができ、しかも救護を必要とする人を安全に助けることのできる建具を提供することである。
【課題を解決するための手段】
【０００９】
前記目的を達成するために、請求項１記載の発明は、直立した略板状をなし、開口部を塞ぐ閉止位置と、開口部を開くことにより人などが出入り可能とする開口位置との間を移動可能に装着される建具であって、非常時に人などが出入可能な二次開口部を有する建具本体と、該建具本体の二次開口部を開閉する副扉とを具えたことを特徴とする。
【００１０】
また請求項２記載の発明は、前記副扉は、広がった状態で二次開口部を塞ぎ、かつ折り畳んだ状態で二次開口部を開ける折れ戸からなることを特徴とする請求項１記載の建具であり、請求項３記載の発明は、前記副扉は、ピボットの廻りを回転することにより、前記二次開口部を開閉する回転扉からなることを特徴とする請求項１記載の建具である。
【００１１】
また請求項４記載の発明は、前記副扉は、二次開口部に嵌合され、かつ容易に引き裂き可能な連結体を介して建具本体に連結された鏡板からなり、前記鏡板は、連結体を引き裂くことにより二次開口部から分離可能であることを特徴とする請求項１記載の建具であり、請求項５記載の発明は、前記連結体は、建具本体と副扉とに跨り添着され、かつ該建具本体と副扉の境界線上で引き裂き可能なテープからなることを特徴とする請求項４記載の建具である。
【００１２】
また請求項６記載の発明は、前記副扉は、二次開口部内に上下にスライド可能に嵌合されるとともに上部が保持部により支持された可動鏡板と、該可動鏡板の下部に配された基台とからなり、前記可動鏡板は、前記基台が二次開口部から取り外されると下方にスライドし、これによりその上部が前記保持部から外れて、取り外し可能となることを特徴とする請求項１記載の建具である。
【発明の効果】
【００１３】
本発明は叙上の如く構成しているため、トイレ、浴室などの内部で体調が急変した場合、地震、火災などの緊急被災時に、たとえ建具自体はロックされていても、副扉を開いて二次開口部から出入ができ、これにより、内部の高齢者、子供などを迅速かつ安全に救護、救済できる。また、地震などの衝撃により建具、開口枠が変形して建具自体の開閉が不可能な場合、或いは、体調不良の高齢者が内部で座り込むなどして建具の開閉に支障がある場合でも、副扉を開いて出入りが可能たなめ迅速に救護を行なうことができる。しかも、建具自体は何ら破損することないため、事後の復旧は簡単に行なえるとともにコストが掛からない。そして、前記従来の非常解錠装置のような複雑な機構を含まないので、たとえ地震などの衝撃が加わっても、メカニズム上のトラブルを起すことがなく、動作の信頼性が高い。
【発明を実施するための最良の形態】
【００１４】
以下、本発明の実施の一形態を、図示例とともに説明する。図１は、本発明の一実施の形態を例示する斜視図、図２はそのＡ−Ａ断面図である。本発明の建具１は、閉止位置３と開口位置４との間を移動可能に装着され、建具本体６と副扉７とを具えて直立した略板状をなし、本形態では、開口部２に蝶番２１を用いて装着されたドア１Ａである場合が例示されるが、引戸、折り畳み戸などで構成することもある。
【００１５】
前記閉止位置３は、開口部２を挟んだ両側の空間を遮断するため、開口部２を閉ざす場合の建具１のポジションをいい、閉止位置３におけるドア１Ａは、開口部２の内側に嵌合した位置にある。また前記開口位置４は、開口部２を通じ人、物などが出入できるため、開口部２を開くポジションをいい、開口位置４におけるドア１Ａは、前記蝶番２１を中心として、閉止位置３から或る角度以上（例えば９０度）回転した位置にある。
【００１６】
前記建具本体６は、図１に示すように、中央に矩形の二次開口部５を設けた矩形板状をなし、一方の側縁部に上下に一対設けた蝶番２１, ２１を介して開口部２に回動可能に取付けられ、これにより前記閉止位置３と開口位置４との間を移動可能に装着されている。建具本体６は、高さが例えば１８００〜２４００ｍｍ程度、幅が８００〜１２００ｍｍ程度、厚さが１２０〜２００ｍｍ程度に形成され、ニ次開口部２は、高さが例えば６００〜１５００ｍｍ程度、幅が４００〜８００ｍｍ程度に形成される。また二次開口部５は、本形態では、建具本体６の略中央に配されているが、下側又は左右の片側に偏って形成されてもよい。
【００１７】
そして前記建具本体６は、蝶番２１で開口部２に取付た側と反対の側部の中位に、ラッチボルト２２Ａの出没制御を行なうとともに開閉操作を行なうために把持するノブ２２Ｂと、デッドボルト２２Ｃの出入を制御するサムターン２２Ｄとを具えた錠前２２を設け、デッドボルト２２Ｃが開口部２の内周側面に取付られた図示されないストライク金物に挿入することにより、施錠可能に構成されている。
【００１８】
前記建具本体６は、突き板、プリント化粧シートなどの表面被覆層を有する表面化粧材を、木製の枠材の両面に添着したフラッシュ構造のパネル体で構成することができ、また無垢木材、修正木材を枠状に加工し組立てた框組みの構造とすることもよい。更には、鋼板を折り曲げて形成し、又はプラスチック、アルミニウムの押出し成形材を組立てて形成することもできる。
【００１９】
前記副扉７は、本形態では、前記二次開口部５と略同じ幅に形成された矩形状の上板２３Ａと、下板２３Ｂとを、回転軸２４を介して上下に折り畳み可能に連結して形成された折れ戸７Ａからなる。なお前記上板２３Ａは、その上端縁が前記二次開口部５の上端に架設された水平な支持軸２５に回転可能に支持され、また前記下板２３Ｂは、その下端縁に設けたスライド軸２６の両端が、前記二次開口部５の内側面に形成された支持溝２７に挿入することにより上下動可能に支持されている。そして、前記上板２３Ａと下板２３Ｂとは、各々の高さが、前記二次開口部５の高さの約２分の１に形成されているので、図１に示すように、上板２３Ａと下板２３Ｂとが垂直面に沿って広がった副扉７は、二次開口部５の全体を塞ぐことができる。また、図２に示すように、下板２３Ｂの下部を持上げると、上板２３Ａと下板２３Ｂとは、回転軸２４を接点としてくの字状に折れ曲がり、更に仮想線で示すように、前記スライド軸２６を支持軸２５の近傍にまで持上げると、上板２３Ａと下板２３Ｂとは、略重なる状態にまで折れ曲がることにより前記二次開口部５の略全体を開けることがでる。
【００２０】
これにより、前記建具１は、トイレ、浴室などの開口部２に装着され、しかも前記錠前２２により施錠された状況において、内部で高齢者、子供などが体調が急変したり不意に怪我をして救護が必要な場合、地震、火災発生時などに、副扉７を開いて二次開口部５から出入が可能であるため、内部の高齢者などを迅速に救護、救済しうる。また、施錠はされていないが、地震などの衝撃を受けて建具１、開口部２を形成する開口枠等が変形して、建具１の開閉動作が不良になり、或いは、特に建具１が内開きのドアであって、体調に異変を起した高齢者がその前で座り込むなどして開閉が出来ない場合においても、副扉７を空けた二次開口部５から出入して、即時に対応することができる。特に本形態の副扉７は、上下に折れ曲がる折れ戸７Ａからなるため、二次開口部５の略全体を開けることが可能であり、従って緊急時に、人、大きな物などが楽に出入することができる点で好ましい。しかも、緊急の対応が終了した後は、副扉７を再び閉じて二次開口部５を塞ぐことにより、何ら支障なく再使用できるため復旧に時間、コストを必要とない。また、非常解錠装置のような、複雑なメカニズムを含むものではないので、地震などの大きな衝撃を受けても、作動不良を起すことなく、前記副扉７は、スムースに開閉することができる。
【００２１】
前記折れ戸７Ａは、本形態では、上板２３Ａと下板２３Ｂとを鋼板で形成し、上板２３Ａの下端縁と下板２３Ｂの上端縁とに、水平で筒状に曲成した連結部（図示せず）を交互に形成するとともに該連結部に前記回転軸２４を貫挿することにより、前記上板２３Ａと下板２３Ｂとを折り畳み可能に連結している。なお上板２３Ａと下板２３Ｂとは、このほか、化粧合板、アクリル、ポリプロピレン、ポリエチレンなどのプラスチックなどを用いて形成することもでき、さらにアルミニウムの枠材に嵌め込まれたガラス板を用いることもよい。なおアクリル樹脂、ガラス板など透光性を有する板材を用いると、反対側の人影などが判別できる点で好ましい。
【００２２】
前記折れ戸７Ａは、二次開口部５を開けるため折り畳んだ上板２３Ａと下板２３Ｂとを、所定角度で固定する周知のストッパー機構を設けることもでき、また折れ戸７Ａの重量が大きい場合などには、バネなどを内蔵した跳ね上げ装置を設けることにより、上板２３Ａと下板２３Ｂとを折り畳み方向に付勢することもよい。さらに、下板２３Ｂの下端を支持軸で回転可能に支持し、他方上板２３Ａの上端をスライド軸で上下動可能に支持し、上板２３Ａを下方に移動させることにより副扉７を折り畳む構造とすることもできる。
【００２３】
図３、４に示す建具１は、その副扉７が、二次開口部５の高さと略同高さと、二次開口部５の幅の略半分の幅を有し、かつ蝶番２１側に配される矩形状の第１の縦板２８Ａと、該第１の縦板２８Ａと略同形の第２の縦板２８Ｂとを折り畳み状に連結した折れ戸７Ａから成るものであり、該折れ戸７Ａを折り畳むことにより二次開口部５を開けることができるものである。尚、図１、２の建具１と同様の構成は、同一の符号を付して説明を省略する。本形態の建具１においては、前記折れ戸７Ａは、左右方向に折り畳まれるので、折り畳んだ第１の縦板２８Ａと第２の縦板２８Ｂとが、その自重により拡がることがなく、従って二次開口部５を塞ぎ、救護、救済のための緊急作業を邪魔することがない点で好ましい。
【００２４】
図５、６に示す建具１は、副扉７が、二次開口部５と略同大の矩形板状体で構成され、二次開口部５の中央で垂直に設けられたピボットＰを中心として回転可能に支持された回転扉７Ｂからなるものである。そして、前記回転扉７Ｂは、戸当り２９に当接した建具本体６と平行な姿勢において二次開口部５を塞ぎ、また図６の仮想線で示すように、ピボットＰを中心にして回転した姿勢において二次開口部５を開けることにより、緊急時など人、物が出入することができる。本形態の建具１においては、回転扉７Ｂは、ピボットＰによりその荷重が支持されているため、回転扉７Ｂを回転して二次開口部５を開ける際に、小さな力による操作で済むため、非力な女性、子供などでも容易に取り扱うことができる点で好ましい。
【００２５】
図７、８に示す建具１は、副扉７が、二次開口部５と略同大の矩形板状体で構成され、二次開口部５の蝶番２１側で垂直に設けられたピボットＰを中心として回転可能に支持された回転扉７Ｂからなるものである。本形態の建具１においては、回転扉７Ｂは、ピボットＰによりその荷重が支持されているため、小さな力による操作で容易に取り扱うことができる上、二次開口部５の略全体を開けることができるため、緊急時の作業を効率的に行なえる。
【００２６】
図９、１０に示す建具１は、副扉７が、二次開口部５と略同大の矩形板状体で構成され、二次開口部５の中央で水平に設けられたピボットＰを中心として回転可能に支持された回転扉７Ｂからなるものである。本形態の建具１においては、回転扉７Ｂは、ピボットＰによりその荷重が支持されているため、小さな力による操作で容易に取り扱うことができる。
【００２７】
図１１に示す建具１は、副扉７が、二次開口部５と略同大の矩形板状体で構成され、二次開口部５の上部で水平に設けられたピボットＰを中心として回転可能に支持された回転扉７Ｂからなるものである。本形態の建具１においては、二次開口部５の略全体を開けることができるため、緊急時の作業が効率的に行なえる。
【００２８】
図１２、１３に示す建具１は、副扉７が、二次開口部５と略同大でかつ同厚の矩形板状体からなる鏡板７Ｃで構成され、該鏡板７Ｃは、二次開口部５に嵌合すると共に粘着材付きのテープ８Ａを建具本体６と副扉７とに跨って添着することにより、建具本体６に連結している。前記テープ８Ａは、緊急時に副扉７を押圧することにより、建具本体６と副扉７の境界線上で引き裂かれる程度の強度を有する材質、厚さのものを使用し、これにより、鏡板７Ｃを二次開口部５から分離して、二次開口部５を開けることができる。また前記テープ８Ａは、建具本体６と鏡板７Ｃの境界線上に、切り溝、ミシン目などを設けることにより引き裂き可能に形成することもでき、或いは建具本体６と鏡板７Ｃの境界線上に、これを引っ張ることによりテープ８Ａを容易に切断しうるカット糸を設けることもできる。なお前記テープ８Ａは、ポリエチレン、ポリプロピレン、塩化ビニルなどのプラスチックフィルム、不織布などを用いる。このように、本形態では、テープ８Ａにより連結体８を構成しており、緊急時に連結体８を引き裂くことにより鏡板７Ｃを二次開口部５から分離して、二次開口部５全体を開けることができるため、人、物の出入を迅速容易に行なうことが可能となる。
【００２９】
図１４に示す建具１は、建具本体６の二次開口部５の内周面に設けた段部３０Ａに、副扉７を形成する鏡板７Ｃの外周面に形成した凸部３０Ｂを重置するとともにテープ８Ａを添着し、これにより該凸部３０Ｂを段部３０Ａとテープ８Ａとで挟着して鏡板７Ｃを取付けるものである。そして、前記鏡板７Ｃは、緊急時に、段部３０Ａ側からテープ８Ａ側に向けて押圧することにより、テープ８Ａを引き裂いて二次開口部５から分離し、前記二次開口部５を開けることができる。
【００３０】
図１５に示す建具１は、鏡板７Ｃを、二次開口部５よりも少し小さく形成するとともに、互いに向き合う鏡板７Ｃの外周面と、建具本体６の内周面とを各々の中央部が突出する凸状に形成する。またこれにより中間部が狭くかつ両外側が広い空隙が形成され、該空隙に嵌合しうる連結体８を設けて、該連結体８の一方の側面の片側を鏡板７Ｃに接着するとともに、他方の側面の前記と異なる片側を建具本体６に接着することにより、前記連結体８を介して副扉７を建具本体６に連結する。前記連結体８は、低密度ポリエチレン、ポリスチレン、軟質ポリ塩化ビニル、ポリプロピレンなどの比較的強度の小さな脆性材料で形成され、これにより鏡板７Ｃを該鏡板７Ｃの表面と直角方向に押圧することにより、連結体８中間部に在る断面積の最小箇所で破断を生じ、鏡板７Ｃが二次開口部５から分離して、二次開口部５を開けることができる。なお本形態の連結体８は、鏡板７Ｃの外周面全長に亘って形成することにより、鏡板７Ｃと建具本体６の隙間を塞ぐことができるが、ピース状の連結体８を一定間隔を隔てて隔設することもできる。
【００３１】
図１６に示す建具１は、軸体３１の両端に打ち込み部３２, ３２を形成した連結体８を用い、建具本体６の内周面と、鏡板７Ｃの外周面とに、各々打ち込み部３２, ３２を打ち込むことにより鏡板７Ｃを建具本体６に取付けている。しかも連結体８の軸体３１は、低密度ポリエチレンなど前記と同様の脆性材料を用いて形成されているため、鏡板７Ｃをその表面と直角方向に押圧することにより、該軸体３１は引き裂かれ、これにより、前記鏡板７Ｃは、二次開口部５からの分離が可能となる。
【００３２】
図１７、１８に示す建具１は、副扉７が可動鏡板７Ｄと、基台７Ｅとからなる。前記可動鏡板７Ｄは、建具本体６の二次開口部５と略同幅に形成されるとともに該二次開口部５内に上下にスライド可能に嵌合される。そして、上方にスライドした可動鏡板７Ｄは、その上部が、建具本体６の二次開口部５の上縁部に形成された下方に開口する溝状の保持部９の内部に挿入されることにより支持され、その下部が、二次開口部５の下部に配された可動鏡板７Ｄと同厚で、同幅の前記基台７Ｅ上に載置され、これにより、前記二次開口部５は、可動鏡板７Ｄと、基台７Ｅとで塞がれる。図１８（Ａ）に示すように、緊急時に、前記基台７Ｅを、二次開口部５から押出すことにより取り出すと、図１８（Ｂ）に示すように、該基台７Ｅに載置していた可動鏡板７Ｄは、その自重で下方にスライドし、これにより該可動鏡板７Ｄの上部が前記保持部９の支持から外れる。このように保持部９の支持を外れた可動鏡板７Ｄは、その上部を押すことにより二次開口部５から取り外すことができ、これにより該二次開口部５を開けることができる。
【図面の簡単な説明】
【００３３】
【図１】本発明の一実施の形態を例示する斜視図である。
【図２】そのＡ−Ａ断面図である。
【図３】異なる実施形態を例示する斜視図である。
【図４】そのＢ−Ｂ断面図である。
【図５】更に異なる実施形態を例示する斜視図である。
【図６】そのＣ−Ｃ断面図である。
【図７】更に異なる実施形態を例示する斜視図である。
【図８】そのＤ−Ｄ断面図である。
【図９】更に異なる実施形態を例示する斜視図である。
【図１０】そのＥ−Ｅ断面図である。
【図１１】更に異なる実施形態を例示する縦断面図である。
【図１２】更に異なる実施形態を例示する横断面図である。
【図１３】その要部拡大図である。
【図１４】更に異なる実施形態を例示する要部拡大横断面図である。
【図１５】更に異なる実施形態を例示する要部拡大横断面図である。
【図１６】更に異なる実施形態を例示する要部拡大横断面図である。
【図１７】更に異なる実施形態を例示する斜視図である。
【図１８】そのＦ−Ｆ断面図であり、（Ａ）は二次開口部を副扉で塞いだ状態を示し、（Ｂ）は副扉を取外す過程を示す。
【図１９】従来例を示す分解斜視図である。
【符号の説明】
【００３４】
１      建具
２      開口部
３      閉止位置
４      開口位置
５      二次開口部
６      建具本体
７      副扉
７Ａ      折れ戸
７Ｂ      回転扉
７Ｃ      鏡板
７Ｄ      可動鏡板
７Ｅ      基台
８      連結体
８Ａ      テープ
９      保持部
Ｐ      ピボット
【図１】
2005133496.tif 000003
【図２】
2005133496.tif 000004
【図３】
2005133496.tif 000005
【図４】
2005133496.tif 000006
【図５】
2005133496.tif 000007
【図６】
2005133496.tif 000008
【図７】
2005133496.tif 000009
【図８】
2005133496.tif 000010
【図９】
2005133496.tif 000011
【図１０】
2005133496.tif 000012
【図１１】
2005133496.tif 000013
【図１２】
2005133496.tif 000014
【図１３】
2005133496.tif 000015
【図１４】
2005133496.tif 000016
【図１５】
2005133496.tif 000017
【図１６】
2005133496.tif 000018
【図１７】
2005133496.tif 000019
【図１８】
2005133496.tif 000020
【図１９】
2005133496.tif 000021